(57)【要約】【課題】携帯端末の筐体を開く行為とユーザ認証行為を同時に行い認証処理の迅速化を図るとともに、認証失敗時にアラーム音を鳴動させることにより不正使用を抑止する。【解決手段】筐体が開かれた時点でユーザにより入力されている入力情報を基に認証を行い、認証に失敗したときにアラーム音を鳴動させるとともに警告履歴情報を登録し、認証に成功したときに警告履歴情報を抽出して表示し、筐体が閉じられたときにアラーム音が鳴動中であるかを検出し、アラーム音が鳴動中であった場合に前記警告履歴情報を参照して警告回数を取得し、取得した警告回数が所定回数に達していなかった場合にアラーム音の鳴動を停止し、前記警告回数が所定回数に達していた場合に、自端末をロック状態に設定するとともに予め登録されたメール送信先に警告メールを送信する。【選択図】      図１
2008103800.tif 000002
【特許請求の範囲】
【請求項１】
筐体の開閉状態を検出する開閉検出部と、筐体の開閉状態に関わらず操作可能で認証のための入力情報を入力する認証情報入力部と、前記開閉検出部により筐体が開かれたことが検出されたときに、その時点における前記認証情報入力部の入力情報を取得する認証情報取得手段と、前記入力情報が無かった場合、または、前記入力情報が予め登録された認証情報と一致しなかった場合にアラーム音を鳴動させる警告手段と、前記警告手段による警告の度に警告履歴情報を登録する警告履歴登録手段とを有することを特徴とする折り畳み式携帯端末。
【請求項２】
前記開閉検出部により筐体が閉じられたことが検出されたときにアラーム音が鳴動中であるかを検出するアラーム音検出手段と、アラーム音が鳴動中であった場合に前記警告履歴情報を参照して警告回数を取得する警告回数取得手段と、取得した警告回数が所定回数に達していなかった場合にアラーム音の鳴動を停止するアラーム音停止手段とを、さらに有することを特徴とする請求項１記載の折り畳み式携帯端末。
【請求項３】
前記警告回数が所定回数に達していた場合に自端末をロック状態に設定するロック設定手段を、さらに有することを特徴とする請求項２記載の折り畳み式携帯端末。
【請求項４】
前記警告回数が所定回数に達していた場合に予め登録されたメール送信先に警告メールを送信する警告メール送信手段を、さらに有することを特徴とする請求項２または３記載の折り畳み式携帯端末。
【請求項５】
位置情報を取得する位置情報取得部をさらに備え、前記警告メール送信時に前記位置情報取得部により取得した位置情報を前記警告メールに含めて送信することを特徴とする請求項４記載の折り畳み式携帯端末。
【請求項６】
前記認証情報入力部の入力情報が予め登録された認証情報と一致した場合に前記警告履歴情報が登録されているかを確認し、登録されていた場合に前記警告履歴情報を表示する警告履歴通知手段を、さらに有することを特徴とする請求項１〜５のいずれか１項記載の折り畳み式携帯端末。
【請求項７】
前記警告手段は前記アラーム音を鳴動させるとともに、不正使用である旨の表示を行うことを特徴とする請求項１〜６のいずれか１項記載の折り畳み式携帯端末。
【請求項８】
前記認証情報入力部は複数のキーを備え、前記入力情報は少なくとも一つのキーの押下情報であることを特徴とする請求項１〜７のいずれか１項記載の折り畳み式携帯端末。
【請求項９】
前記認証情報入力部の入力情報は生体情報であることを特徴とする請求項１〜７のいずれか１項記載の折り畳み式携帯端末。
【請求項１０】
折り畳み式携帯端末の筐体が開かれた時点でユーザにより入力されている入力情報を基にユーザ認証を行い、ユーザ認証に失敗したときにアラーム音の鳴動を開始し、次に筐体が閉じられたときにアラーム音の鳴動を停止することを特徴とする折り畳み式携帯端末の不正使用警告方法。
【請求項１１】
折り畳み式携帯端末の筐体が開かれた時点でユーザにより入力されている入力情報を基にユーザ認証を行うステップと、ユーザ認証に失敗したときにアラーム音を鳴動させるとともに警告履歴情報を登録するステップと、ユーザ認証に成功したときに警告履歴情報を抽出して表示するステップとを有することを特徴とする折り畳み式携帯端末の不正使用警告方法。
【請求項１２】
折り畳み式携帯端末の筐体が開かれた時点でユーザにより入力されている入力情報を基にユーザ認証を行うステップと、ユーザ認証に失敗したときにアラーム音を鳴動させるとともに警告履歴情報を登録するステップと、ユーザ認証に成功したときに警告履歴情報を抽出して表示するステップと、筐体が閉じられたときにアラーム音が鳴動中であるかを検出するステップと、アラーム音が鳴動中であった場合に前記警告履歴情報を参照して警告回数を取得するステップと、取得した警告回数が所定回数に達していなかった場合にアラーム音の鳴動を停止するステップと、前記警告回数が所定回数に達していた場合に、自端末をロック状態に設定するとともに予め登録されたメール送信先に警告メールを送信するステップとを有することを特徴とする折り畳み式携帯端末の不正使用警告方法。
【請求項１３】
開閉検出部により筐体が開かれたことが検出されたときに、その時点における認証情報入力部の入力情報を取得する機能、前記入力情報が無かった場合、または、前記入力情報が予め登録された認証情報と一致しなかった場合にアラーム音を鳴動させて警告する機能、警告の度に警告履歴情報を登録する機能、前記開閉検出部により筐体が閉じられたことが検出されたときにアラーム音が鳴動中であるかを検出する機能、アラーム音が鳴動中であった場合に前記警告履歴情報を参照して警告回数を取得する機能、取得した警告回数が所定回数に達していなかった場合にアラーム音の鳴動を停止する機能、をコンピュータに実現させるためのプログラム。
【請求項１４】
開閉検出部により筐体が開かれたことが検出されたときに、その時点における認証情報入力部の入力情報を取得する機能、前記入力情報が無かった場合、または、前記入力情報が予め登録された認証情報と一致しなかった場合にアラーム音を鳴動させて警告する機能、警告の度に警告履歴情報を登録する機能、前記入力情報が予め登録された認証情報と一致した場合に前記警告履歴情報が登録されているかを確認し、登録されていた場合に前記警告履歴情報を表示する機能、前記開閉検出部により筐体が閉じられたことが検出されたときにアラーム音が鳴動中であるかを検出する機能、アラーム音が鳴動中であった場合に前記警告履歴情報を参照して警告回数を取得する機能、取得した警告回数が所定回数に達していなかった場合にアラーム音の鳴動を停止する機能、前記警告回数が所定回数に達していた場合に、自端末をロック状態に設定するとともに予め登録されたメール送信先に警告メールを送信する機能、をコンピュータに実現させるためのプログラム。
【発明の詳細な説明】
【技術分野】
【０００１】
本発明は、折り畳み式携帯端末において不正使用があった場合に警告を行う、折り畳み式携帯端末，折り畳み式携帯端末の不正使用警告方法およびプログラムに関する。
【背景技術】
【０００２】
折り畳み式携帯端末において第三者による不正使用を防止する例が特開２００１−２１７９２４号公報（特許文献１）に開示されている。この特許文献１においては、筐体が閉じられることにより折り畳み式携帯端末をロック状態に設定し、筐体が開かれるとＩＤの入力を要求し、ユーザから正しいＩＤが入力されるとロックを解除することが記載されている。
【０００３】
【特許文献１】特開２００１−２１７９２４号公報（段落「００２１」〜「００２２」）
【発明の開示】
【発明が解決しようとする課題】
【０００４】
上述した特許文献１においては、筐体が開かれたときにロック解除のためのＩＤを要求し、正しいＩＤが入力されればロックを解除して操作を許可し、正しいＩＤが入力されなければロック状態を継続するようにしている。しかし、正しいＩＤが入力されなかった場合に、第三者による不正使用があったことを警告，通知したり、警告履歴を記録したりする点については何ら配慮がなされていない。
【０００５】
また、上述した特許文献１においては、折り畳み式携帯端末を使用するときに、筐体を開く行為と、開いた後にＩＤを入力する認証行為をそれぞれ別々に行っているが、認証行為と筐体を開く行為を同時に行うようにすると認証処理の迅速化が図れる。
【０００６】
本発明の目的は、以上の課題を解決する折り畳み式携帯端末，折り畳み式携帯端末の不正使用警告方法およびプログラムを提供することにある。
【課題を解決するための手段】
【０００７】
本発明の第１の折り畳み式携帯端末は、筐体の開閉状態を検出する開閉検出部と、筐体の開閉状態に関わらず操作可能で認証のための入力情報を入力する認証情報入力部と、前記開閉検出部により筐体が開かれたことが検出されたときに、その時点における前記認証情報入力部の入力情報を取得する認証情報取得手段と、前記入力情報が無かった場合、または、前記入力情報が予め登録された認証情報と一致しなかった場合にアラーム音を鳴動させる警告手段と、前記警告手段による警告の度に警告履歴情報を登録する警告履歴登録手段とを有する。
【０００８】
本発明の第２の折り畳み式携帯端末は、本発明の第１の折り畳み式携帯端末において、前記開閉検出部により筐体が閉じられたことが検出されたときにアラーム音が鳴動中であるかを検出するアラーム音検出手段と、アラーム音が鳴動中であった場合に前記警告履歴情報を参照して警告回数を取得する警告回数取得手段と、取得した警告回数が所定回数に達していなかった場合にアラーム音の鳴動を停止するアラーム音停止手段とを、さらに有する。
【０００９】
本発明の第３の折り畳み式携帯端末は、本発明の第２の折り畳み式携帯端末において、前記警告回数が所定回数に達していた場合に自端末をロック状態に設定するロック設定手段を、さらに有する。
【００１０】
本発明の第４の折り畳み式携帯端末は、本発明の第２または第３の折り畳み式携帯端末において、前記警告回数が所定回数に達していた場合に予め登録されたメール送信先に警告メールを送信する警告メール送信手段を、さらに有する。
【００１１】
本発明の第５の折り畳み式携帯端末は、本発明の第４の折り畳み式携帯端末において、位置情報を取得する位置情報取得部をさらに備え、前記警告メール送信時に前記位置情報取得部により取得した位置情報を前記警告メールに含めて送信することを特徴とする。
【００１２】
本発明の第６の折り畳み式携帯端末は、本発明の第１〜第５のいずれかの折り畳み式携帯端末において、前記認証情報入力部の入力情報が予め登録された認証情報と一致した場合に前記警告履歴情報が登録されているかを確認し、登録されていた場合に前記警告履歴情報を表示する警告履歴通知手段を、さらに有する。
【００１３】
本発明の第７の折り畳み式携帯端末は、本発明の第１〜第６のいずれかの折り畳み式携帯端末において、前記警告手段は前記アラーム音を鳴動させるとともに、不正使用である旨の表示を行うことを特徴とする。
【００１４】
本発明の第８の折り畳み式携帯端末は、本発明の第１〜第７のいずれかの折り畳み式携帯端末において、前記認証情報入力部は複数のキーを備え、前記入力情報は少なくとも一つのキーの押下情報であることを特徴とする。
【００１５】
本発明の第９の折り畳み式携帯端末は、本発明の第１〜第７のいずれかの折り畳み式携帯端末において、前記認証情報入力部の入力情報は生体情報であることを特徴とする。
【００１６】
本発明の第１の折り畳み式携帯端末の不正使用警告方法は、折り畳み式携帯端末の筐体が開かれた時点でユーザにより入力されている入力情報を基にユーザ認証を行い、ユーザ認証に失敗したときにアラーム音の鳴動を開始し、次に筐体が閉じられたときにアラーム音の鳴動を停止することを特徴とする。
【００１７】
本発明の第２の折り畳み式携帯端末の不正使用警告方法は、折り畳み式携帯端末の筐体が開かれた時点でユーザにより入力されている入力情報を基にユーザ認証を行うステップと、ユーザ認証に失敗したときにアラーム音を鳴動させるとともに警告履歴情報を登録するステップと、ユーザ認証に成功したときに警告履歴情報を抽出して表示するステップとを有する。
【００１８】
本発明の第３の折り畳み式携帯端末の不正使用警告方法は、折り畳み式携帯端末の筐体が開かれた時点でユーザにより入力されている入力情報を基にユーザ認証を行うステップと、ユーザ認証に失敗したときにアラーム音を鳴動させるとともに警告履歴情報を登録するステップと、ユーザ認証に成功したときに警告履歴情報を抽出して表示するステップと、筐体が閉じられたときにアラーム音が鳴動中であるかを検出するステップと、アラーム音が鳴動中であった場合に前記警告履歴情報を参照して警告回数を取得するステップと、取得した警告回数が所定回数に達していなかった場合にアラーム音の鳴動を停止するステップと、前記警告回数が所定回数に達していた場合に、自端末をロック状態に設定するとともに予め登録されたメール送信先に警告メールを送信するステップとを有する。
【００１９】
本発明の第１のプログラムは、開閉検出部により筐体が開かれたことが検出されたときに、その時点における認証情報入力部の入力情報を取得する機能、前記入力情報が無かった場合、または、前記入力情報が予め登録された認証情報と一致しなかった場合にアラーム音を鳴動させて警告する機能、警告の度に警告履歴情報を登録する機能、前記開閉検出部により筐体が閉じられたことが検出されたときにアラーム音が鳴動中であるかを検出する機能、アラーム音が鳴動中であった場合に前記警告履歴情報を参照して警告回数を取得する機能、取得した警告回数が所定回数に達していなかった場合にアラーム音の鳴動を停止する機能、をコンピュータに実現させる。
【００２０】
本発明の第２のプログラムは、開閉検出部により筐体が開かれたことが検出されたときに、その時点における認証情報入力部の入力情報を取得する機能、前記入力情報が無かった場合、または、前記入力情報が予め登録された認証情報と一致しなかった場合にアラーム音を鳴動させて警告する機能、警告の度に警告履歴情報を登録する機能、前記入力情報が予め登録された認証情報と一致した場合に前記警告履歴情報が登録されているかを確認し、登録されていた場合に前記警告履歴情報を表示する機能、前記開閉検出部により筐体が閉じられたことが検出されたときにアラーム音が鳴動中であるかを検出する機能、アラーム音が鳴動中であった場合に前記警告履歴情報を参照して警告回数を取得する機能、取得した警告回数が所定回数に達していなかった場合にアラーム音の鳴動を停止する機能、前記警告回数が所定回数に達していた場合に、自端末をロック状態に設定するとともに予め登録されたメール送信先に警告メールを送信する機能、をコンピュータに実現させる。
【発明の効果】
【００２１】
本発明においては、携帯端末の筐体を開く行為とユーザ認証行為を同時に行っているため、認証処理の迅速化が図れるという効果が得られる。
【００２２】
また、本発明においては、筐体が開かれた時点でのユーザ認証に失敗した場合はアラーム音を鳴動させるため、不正使用を行う者に対して警告を発するとともに不正使用を抑止できるという効果が得られる。
【発明を実施するための最良の形態】
【００２３】
本発明の実施の形態について図面を参照して詳細に説明する。
【００２４】
図１は、本発明の一実施の形態の構成を示す図である。本発明の携帯端末１０は、携帯電話機，ＰＨＳ(Personal Handyphone System)，ＰＤＡ(Personal Digital Assistance)
等の携帯情報端末である。この携帯端末１０は、図１に示すように、無線部１１と、キー入力部１２と、サイドキー入力部１３と、表示部１４と、開閉検出部１５と、スピーカ１６と、マイク１７と、記憶部１８と、制御部１９とを備えている。
【００２５】
無線部１１は図示しない基地局との間でアンテナを介して無線信号の送受信を行う通信装置であり、キー入力部１２はテンキー，機能キー，ポインティングデバイス等の入力装置である。サイドキー入力部１３は、図２（携帯端末１０の外観を示す図）に示すように、筐体の開状態，閉状態に関係なく押下可能な場所（例えば、筐体側面部）に備えられた複数のキーで構成され、認証情報の入力に用いられる。表示部１４はＬＣＤ(Liquid Crystal Display)等の表示装置である。開閉検出部１５は、携帯端末１０の筐体の開閉状態を検出する機能を備えている。この開閉検出部１５の具体的な例としては、例えば、特開２００１−２１７９２４号公報に凸部とスイッチを用いたものが、また、特開２００２−１２５０２５号公報に磁石と磁気センサを用いたものが、それぞれ開示されている。なお、本発明は開閉検出手段としてどのような検出方法を用いるかということには限定されず、また、検出方法の詳細を説明するのが主旨でもないため、これ以上の説明は省略する。スピーカ１６は音声やアラーム音等を出力し、マイク１７には音声等が入力される。
【００２６】
記憶部１８は読み出し，書き込み可能な記憶装置である。この記憶部１８は、認証情報登録部１８１と、警告履歴登録部１８２と、アラーム音鳴動中情報登録部１８３と、メール送信・ロック用警告回数登録部１８４と、ロック状態登録部１８５と、警告メール送信先メールアドレス登録部１８６とを含んでいる。認証情報登録部１８１には、携帯端末１０の正当なユーザであることを認証するための認証情報が登録されている。この認証情報は、サイドキー入力部１３に備えられた各キーの押下の組合せ情報である。サイドキーが図２に示すように５個備えられていたとして、例えば、サイドキー（２）および（４）が認証情報として登録されているとすると、これら二つのサイドキーだけを同時に押下した状態で筐体を開いた場合に、正当なユーザであると認証されることになる。警告履歴登録部１８２には、携帯端末１０が開かれたときに行われる認証に失敗した場合、認証失敗回数（警告回数）と警告日時情報が警告履歴情報として登録される。アラーム音鳴動中情報登録部１８３には、携帯端末１０が開かれたときに行われる認証に失敗しアラーム音を鳴動させたときに、アラーム音鳴動中であることを示すアラーム音鳴動中情報が登録される。このアラーム音鳴動中情報はアラーム音の鳴動停止時に削除される。メール送信・ロック用警告回数登録部１８４には、警告履歴登録部１８２に登録された警告回数が何回に達するとメール送信やロック設定を行うかを指定するための警告回数が予め登録される。なお、携帯端末１０のロック機能としては、キーロック、ダイヤルロック、電話帳，スケジュール等のロック、ＩＣカードロック等の各種のロック機能が使用されているが、本発明はロックの種類には限定されない。また、いずれのロックにおいても、サイドキー入力部１３の各キーはロックの対象外となっている。ロック状態登録部１８５には、携帯端末１０がロック状態に設定されたときにロック状態であることが登録される。このロック状態の登録はロック解除時に削除される。警告メール送信先メールアドレス登録部１８６には、警告メール送信先のメールアドレス（例えば、家族や友人のメールアドレス、ユーザ自宅のパーソナルコンピュータのメールアドレス、等）が予め登録されている。
【００２７】
制御部１９は、ＣＰＵ(Central Processing Unit)等の制御装置であり、プログラムに
より動作を制御される。この制御部１９は、 
・携帯端末１０の筐体が開かれると同時に、サイドキー入力部１３の入力情報が予め登録された認証情報と一致するかを照合する機能と、
・認証失敗時に、アラーム音を鳴動させ、警告を表示させるとともに、警告履歴を登録する機能と、
・認証成功時に警告履歴を表示させる機能と、
・アラーム音鳴動時に筐体が閉じられた場合、警告履歴から警告回数を取得し、警告回数が所定回数未満であったときにアラーム音の鳴動を停止させる機能と、
・アラーム音鳴動時に筐体が閉じられた場合、警告履歴から警告回数を取得し、警告回数が所定回数に達していたときに、携帯端末１０をロック状態に設定するとともに、警告メールを生成して予め登録されたメールアドレスに送信する機能と、
を備えている。
【００２８】
次に、本発明の一実施の形態の動作について図１〜図７を参照して説明する。
【００２９】
なお、図３は本発明の一実施の形態の動作を示すフローチャートであり、図４は認証情報登録方法の一例を示す図、図５は認証失敗時の警告表示の一例を示す図、図６はロック状態表示の一例を示す図、図７は警告履歴表示の一例を示す図である。
【００３０】
最初に、事前準備としての認証情報登録時の動作について説明する。
【００３１】
図４を参照すると、ユーザが携帯端末１０の表示部１４に表示された図示しないメニュー画面上でキー入力部１２により認証情報登録メニューを選択すると、制御部１９は認証情報登録画面（画面Ａ）を表示部１４に表示する。ユーザは認証情報として登録したいキー情報をサイドキー入力部１３から入力する。詳細には、複数（例えば、５個）のサイドキーの内、登録したいサイドキーを少なくとも一個以上選択してユーザが押下すると、制御部１９は押下されたキー情報をサイドキー入力部１３から取得するとともに、登録確認画面（画面Ｂ）を表示部１４に表示する。登録確認画面（画面Ｂ）による指示に基づいて、登録したいサイドキーをユーザは再度押下する。制御部１９は押下されたキー情報をサイドキー入力部１３から取得し、二回とも同じサイドキーが押下された場合は、押下されたキー情報を認証情報として認証情報登録部１８１に登録し、登録終了画面（画面Ｃ）を表示部１４に表示する。一回目と二回目で押下されたキー情報が異なっていた場合は、制御部１９は登録失敗画面（画面Ｄ）を表示部１４に表示する。登録失敗画面（画面Ｄ）上のＯＫキーが押下されると、制御部１９は認証情報登録画面（画面Ａ）を表示部１４に表示し、ユーザは最初から認証情報登録をやり直すことになる。
【００３２】
以上説明した認証情報の登録が事前に行われているものとして、次に、本発明の一実施の形態の動作について説明する。
【００３３】
図３を参照すると、まず、ユーザが携帯端末１０の筐体を開くと、開閉検出部１５は開かれたことを検出して制御部１９にその旨を通知する（ステップＡ１）。制御部１９は、筐体が開かれたときに押下されているサイドキーの情報をサイドキー入力部１３から取得する。そして、制御部１９は取得したサイドキー情報が認証情報登録部１８１に登録された認証情報と一致するかを照合する。例えば、図２に示すサイドキー（２），（４）の二つのサイドキー情報が認証情報として登録されていた場合、押下されているサイドキーが（２），（４）の二つだけであったときに認証成功（認証された）と判別する。上記以外のサイドキーの押下状態が取得された場合、または、サイドキーが全く押下されていなかった場合は認証失敗と判別する（ステップＡ２）。
【００３４】
ステップＡ２における照合の結果、認証失敗の場合は、制御部１９は予め登録されたアラーム音をスピーカ１６を介して出力するとともに（ステップＡ３→ステップＡ４）、図５に示すような警告表示を表示部１４に表示する（ステップＡ５）。そして、制御部１９は、アラーム音鳴動中情報をアラーム音鳴動中情報登録部１８３に登録し、現在日時情報を図示しない時計部から取得して警告履歴登録部１８２に警告履歴情報として登録する（ステップＡ６）。
【００３５】
以上、携帯端末１０の筐体が開かれると同時にサイドキー押下状態による認証を行い、認証失敗時にアラーム音を鳴動させ、警告を表示することを説明した。
【００３６】
次に、携帯端末１０の筐体を閉じた場合の動作について、以下に説明する。
【００３７】
ユーザが携帯端末１０の筐体を閉じると（ステップＡ７）、制御部１９はアラーム音鳴動中情報登録部１８３を参照してアラーム音鳴動中情報が登録されているかを判別する（ステップＡ８）。登録されていれば、制御部１９は警告履歴登録部１８２を参照して警告回数を取得する（ステップＡ９）。そして、制御部１９は取得した警告回数とメール送信・ロック用警告回数登録部１８４に登録されているユーザ指定回数とを比較する（ステップＡ１０）。
【００３８】
取得した警告回数がユーザ指定回数より少なかった場合は、制御部１９はアラーム音の鳴動を停止するとともに（ステップＡ１１）、アラーム音鳴動中情報登録部１８３に登録されているアラーム音鳴動中情報を削除する（ステップＡ１２）。取得した警告回数がユーザ指定回数と同じか多かった場合は、制御部１９はアラーム音の鳴動を継続させたまま、携帯端末１０をロック状態に設定するとともに、ロック状態登録部１８５にロック状態であることを登録する（ステップＡ１３）。そして、制御部１９は、警告履歴登録部１８２に登録されている警告履歴情報を含む不正開閉警告メールを生成し、警告メール送信先メールアドレス登録部１８６に登録されたメールアドレスに送信する（ステップＡ１４）。ステップＡ１２またはステップＡ１４の後はステップＡ１に戻り、携帯端末１０の筐体の開閉が引き続き監視される。
【００３９】
次に、ステップＡ２における照合の結果、認証された場合について、以下に説明する。
【００４０】
認証された場合、制御部１９はアラーム音鳴動中情報登録部１８３を参照し、アラーム音鳴動中情報が登録されているかを判別する（ステップＡ３→ステップＡ１５）。登録されていた場合は、制御部１９はアラーム音の鳴動を停止するとともに（ステップＡ１６）、アラーム音鳴動中情報登録部１８３に登録されているアラーム音鳴動中情報を削除する（ステップＡ１７）。
【００４１】
次に、制御部１９はロック状態登録部１８５を参照し、ロック状態の登録がなされているかを判別する（ステップＡ１８）。ロック状態であることが登録されていた場合は、制御部１９はその旨を表示部１４に表示する（図６参照）（ステップＡ１９）。その後、携帯端末１０のユーザによりロック解除操作（暗証番号，特定キー操作等）がなされると、制御部１９は携帯端末１０のロックを解除するとともに、ロック状態登録部１８５に登録されているロック状態情報を削除する（ステップＡ２０→ステップＡ２１）。
【００４２】
ステップＡ１８においてロック状態でなかった場合、または、ステップＡ２１によりロック状態が解除された場合に、制御部１９は警告履歴登録部１８２に警告履歴情報が登録されているかを確認する（ステップＡ２２）。登録されていた場合は、制御部１９は警告履歴情報を読み出して表示部１４に表示する（図７参照）（ステップＡ２３）。このとき、ユーザが画面上の履歴削除ボタンをキー入力部１２より押下すると、制御部１９は警告履歴登録部１８２に登録された警告履歴情報を削除する（ステップＡ２４→ステップＡ２５）。この後はステップＡ１に戻り、携帯端末１０の筐体の開閉が引き続き監視される。
【００４３】
次に、ステップＡ２６，Ａ２７の動作について説明する。
【００４４】
このステップＡ２６，Ａ２７においては、制御部１９は、アラーム音鳴動中情報がアラーム音鳴動中情報登録部１８３に登録されていればアラーム音の鳴動を継続し、登録されていなければアラーム音の鳴動を停止するよう動作する。これらの動作は、ステップＡ１〜Ａ６の動作（筐体を開いたときの認証失敗によりアラーム音鳴動中）の後に、筐体を閉じることなく電源をＯＦＦしてアラーム音の鳴動を停止させ、すぐに電源をＯＮすることにより不正使用されることを防止するための動作である。ステップＡ６において、アラーム音鳴動中情報が登録されるアラーム音鳴動中情報登録部１８３は電源ＯＦＦでもデータが消去されない記憶部１８に含まれている。従って、電源ＯＦＦによりスピーカ１６からのアラーム音の鳴動は停止するものの、アラーム音鳴動中情報は保持され、次に電源がＯＮされたときに、アラーム音鳴動中情報は登録されたままであるため、制御部１９はスピーカ１６からアラーム音を鳴動させる。図３において、筐体を開いたとき（閉→開）はステップＡ１で検出し、筐体を閉じたとき（開→閉）はステップＡ７で検出してそれぞれの制御を行っている。ステップＡ２６，Ａ２７は、筐体を開いたときでも閉じたときでもない、換言すれば、閉→開の変化、開→閉の変化がなく、開いたまま，閉じたままの状態における制御を行っている。
【００４５】
以上説明したように、本実施の形態においては、携帯端末１０の筐体を開く行為と、サイドキー入力部１３による認証行為を同時に行っているため、認証処理の迅速化が図れるという効果が得られる。
【００４６】
また、本実施の形態においては、サイドキー入力部１３のキーを押さなかったり、押しても間違ったキーを押して筐体を開くとアラーム音の鳴動や警告表示を行うため、不正使用を行う者に対して警告を発するとともに不正使用を抑止できるという効果が得られる。
【００４７】
また、本実施の形態においては、警告履歴情報（日時，回数等）を蓄積しておき、携帯端末１０の正当なユーザに通知するようにしたため、ユーザは筐体の不正開閉があった日時や回数等を知ることができるという効果が得られる。
【００４８】
また、本実施の形態においては、筐体の不正使用が所定回数以上になると、予め登録したメールアドレスに警告履歴情報を含んだ警告メールを送信するため、紛失や盗難時においても、ユーザは携帯端末１０の状況を知ることができるという効果が得られる。
【００４９】
また、本実施の形態においては、筐体の不正使用が所定回数以上になると、携帯端末１０をロック状態に設定するため、第三者の不正操作を阻止し個人情報等を保護できるという効果が得られる。
【００５０】
次に、本発明の他の実施の形態について説明する。
【００５１】
上述した一実施の形態においては、警告回数が所定回数以上になっていたときのロック状態の設定や警告メールの送信を筐体が閉じられたときに行っているが、本実施の形態においては筐体が開かれているときに行うようにした点が異なっている。本実施の形態の構成は一実施の形態の構成（図１）と同じである。
【００５２】
次に、本発明の他の実施の形態の動作について図３および図８を参照して説明する。なお、図８は本発明の他の実施の形態の動作を示すフローチャートである。
【００５３】
図８を参照すると、
・ステップＢ１〜Ｂ６は図３（一実施の形態）のステップＡ１〜Ａ６と、
・ステップＢ１０〜Ｂ１５は図３のステップＡ７〜Ａ１２と、
・ステップＢ１６〜Ｂ２６は図３のステップＡ１５〜Ａ２５と、
・ステップＢ２７〜Ｂ２８は図３のステップＡ２６〜Ａ２７と、
それぞれ同じであり、
・ステップＢ７〜Ｂ９（図３のステップＡ１０，Ａ１３，Ａ１４）をステップＢ６（図３のステップＡ６）に続く動作とした点が一実施の形態と異なっている。
【００５４】
ステップＢ１〜Ｂ６においては、筐体が開かれたときにサイドキー押下による認証を行い、認証失敗時にアラーム音を鳴動させるとともに警告表示を行い、警告履歴やアラーム音鳴動中情報を登録している。一実施の形態では、これらがステップＡ１〜Ａ６に相当し、この後はステップＡ１に戻り、筐体が閉じられたときに警告回数が所定回数以上になっていた場合のロック状態の設定や警告メールの送信をステップＡ１０，Ａ１３，Ａ１４で行っている。これに対し、本実施の形態においては、警告回数が所定回数以上になっていた場合のロック状態の設定や警告メールの送信（ステップＢ７〜Ｂ９）を上記ステップＢ１〜Ｂ６の後に行い、その後にステップＢ１（筐体の開閉監視）に戻るようにしている。これに伴い、ステップＢ１３でＹＥＳの場合（筐体が閉じられたときに、警告回数が所定回数に達していた場合）は何も処理は行わずステップＢ１に戻ることになる。
【００５５】
以上説明したように、本実施の形態においては、警告回数が所定回数以上になっていたときのロック状態の設定や警告メールの送信を筐体が開かれたときに行うようにしている。これにより、一実施の形態に比べ、不正使用者が筐体を閉じるのを忘れた場合でもロック状態の設定や警告メールの送信をすぐに実行できるという更なる効果が得られる。
【００５６】
次に、本発明の応用例，変形例等について説明する。
【００５７】
・上述した一実施の形態または他の実施の形態においては、認証情報の入力手段としてサイドキー入力部１３を備える構成としたが、サイドキー入力部１３に限定されず、例えば、筐体を閉じた際にも操作可能な既存のキーを用いるようにしてもよい。これにより、サイドキー入力部１３を備えていない既存の携帯端末１０にも本発明の適用が可能になる。また、指紋や指静脈等のバイオ認証を行う入力装置を備えるようにしてもよい。これにより、筐体を開きながらの認証行為を簡便にすることができるとともに、携帯端末１０のユーザが自分で登録した認証情報（サイドキーの組合せ情報）を覚えておく必要が無くなるという効果が得られる。
【００５８】
・上述した一実施の形態または他の実施の形態において、警告回数が所定回数以上になったときに予め登録しておいたメールアドレスに警告メールを送信するとして説明した。図１に示す携帯端末１０には位置情報取得部が備えられていないが、ＧＰＳ(Global Positioning System)による位置情報取得部を携帯端末１０に備え、
（１）警告回数が所定回数以上になったときに、制御部１９は位置情報取得部から位置情報を取得するとともに、警告履歴登録部１８２から警告履歴情報を取得し、
（２）制御部１９は、取得した位置情報および警告履歴情報を含む警告メールを生成し、（３）生成した警告メールを警告メール送信先メールアドレス登録部１８６に登録されたメールアドレスに送信する、
ようにしてもよい。
これにより、ユーザは携帯端末１０の警告履歴情報だけでなく、携帯端末１０の位置情報も知ることができるという効果が得られ、紛失，盗難時等に有効である。
【図面の簡単な説明】
【００５９】
【図１】本発明の一実施の形態の構成を示す図である。
【図２】携帯端末１０の外観を示す図である。
【図３】本発明の一実施の形態の動作を示すフローチャートである。
【図４】認証情報登録方法の一例を示す図である。
【図５】認証失敗時の警告表示の一例を示す図である。
【図６】ロック状態表示の一例を示す図である。
【図７】警告履歴表示の一例を示す図である。
【図８】本発明の他の実施の形態の動作を示すフローチャートである。
【符号の説明】
【００６０】
１０    携帯端末
１１    無線部
１２    キー入力部
１３    サイドキー入力部
１４    表示部
１５    開閉検出部
１６    スピーカ
１７    マイク
１８    記憶部
１８１    認証情報登録部
１８２    警告履歴登録部
１８３    アラーム音鳴動中情報登録部
１８４    メール送信・ロック用警告回数登録部
１８５    ロック状態登録部
１８６    警告メール送信先メールアドレス登録部
１９    制御部
【図１】
2008103800.tif 000003
【図２】
2008103800.tif 000004
【図３】
2008103800.tif 000005
【図４】
2008103800.tif 000006
【図５】
2008103800.tif 000007
【図６】
2008103800.tif 000008
【図７】
2008103800.tif 000009
【図８】
2008103800.tif 000010